(57)【要約】【課題】簡単な構成でｐＨ値を一定に保持することができ、且つ環境破壊を抑制することができる排水処理システムを提供する。【解決手段】側溝２からの排水３を導入して内部を通過させてから地盤に排出する貯留槽１と、上流から下流に向けて配列され仕切板９、１２により仕切られた複数の貯留室Ａ、Ｂ、Ｃを有し、最上流の貯留室Ａ内に配置されて側溝２からの排水３を通過させる際に排水中のｐＨ値を低下させるピートモス層５を配置し、上流側貯留室Ａ内の下部７と、隣接する下流側貯留室Ｂ内の上部に夫々端部開口を臨ませた連通配管８と、下流側貯留室Ｂ内の下部と、隣接する下流側貯留室Ｃ内の上部に夫々端部開口を臨ませた連通配管１１と、下流側貯留室Ｃ内の処理済水１３を最上流の貯留室Ａ内に循環させる循環ポンプ１５と、下流側貯留室Ｃ内の処理済水１３を排出する排出ポンプ１６と、を備えて構成される。【選択図】図１
2010119910.tif 000002
【特許請求の範囲】
【請求項１】
地下水を有した地盤上に設置されたコンクリート基盤と、該コンクリート基盤の外周であって前記地盤と近接した位置に沿って形成されてコンクリート基盤からの排水を受ける側溝と、該側溝から排出された排水を受け入れて油水分離して前記地盤に排出する油水分離装置と、を備えた排水処理システムであって、
前記側溝からの排水を導入して内部を通過させてから前記地盤に排出する貯留槽と、該貯留槽内に配置されて前記側溝からの排水を通過させる際に排水中のｐＨ値を低下させるピートモス層と、を備えたことを特徴とする排水処理システム。
【請求項２】
前記貯留槽は、上流から下流に向けて配列され仕切板により仕切られた複数の貯留室を有し、少なくとも最上流の貯留室内に前記ピートモス層を配置し、上流側貯留室内の下部と、隣接する下流側貯留室内の上部に夫々端部開口を臨ませた連通配管と、を備えていることを特徴とする請求項１に記載の排水処理システム。
【請求項３】
前記ピートモス層は、メッシュ状、或いは多数の孔を有したケース体内に収容されていることを特徴とする請求項１又は２に記載の排水処理システム。
【請求項４】
前記ピートモス層は、メッシュ状の袋に分散して収納され、複数の前記メッシュ状の袋を前記ケース体内に収容したことを特徴とする請求項１、２又は３に記載の排水処理システム。
【請求項５】
前記地盤の地下水は、ｐＨ値が７を超えることを特徴とする請求項１乃至４の何れか一項に記載の排水処理システム。
【請求項６】
前記下流側貯留室内の処理済水を前記最上流の貯留室内に循環させる循環ポンプと、前記下流側貯留室内の処理済水を排出する排出ポンプと、を備え、前記循環ポンプを常時駆動する構成としたことを特徴とする請求項１に記載の排水処理システム。
【請求項７】
前記下流側貯留室内のｐＨ値を測定するｐＨ計と、該ｐＨ計により測定したｐＨ値に基づいて前記循環ポンプ及び排出ポンプを駆動制御するポンプ制御装置と、を更に備え、前記ポンプ制御装置は、前記ｐＨ計により測定したｐＨ値が基準値の範囲内にある場合は、前記循環ポンプを停止して前記排出ポンプを駆動し、前記ｐＨ値が基準値の範囲外にある場合は、前記循環ポンプを駆動して前記排出ポンプを停止することを特徴とする請求項１に記載の排水処理システム。
【請求項８】
前記下流側貯留室内に前記処理済水の水位を検出する水位計を備え、前記ポンプ制御装置は、前記水位計により水位が所定の値以下になったことを検出した場合は、前記排出ポンプを停止することを特徴とする請求項６に記載の排水処理システム。
【発明の詳細な説明】
【技術分野】
【０００１】
本発明は、排水処理システムに関し、さらに詳しくは、特定の施設から排出される排水中のｐＨ濃度を中和させて環境破壊を効果的に防止することができる排水処理技術に関するものである。
【背景技術】
【０００２】
廃棄される油は回収されて、廃油処理場において油水分離、精製などの処理を受ける。
この廃油処理場は地盤上に設置した広面積のコンクリート基盤上に各種処理設備を構築したものであり、この処理場からの排水はコンクリート基盤外周に沿って設けた側溝内に進入し、側溝の排出口から地盤に排水される。
ところで、処理場からの排水のｐＨ値は、一般的に７を中心に所定の範囲内であることが求められているが、地盤中の地下水固有のｐＨ値が高い場合には、大量の降雨時に地下水が側溝内に浸入して側溝から排出される排水のｐＨ値を高くすることがある。
従来技術として特許文献１には、ゴルフ場のグリーンの芝生を育成するために散布された薬剤を、芝生に埋設した排水管を介して雨水と共に回収、中和して排水する散布薬剤処理装置について開示されている。しかし、従来技術では、中和槽に回収された排水のｐＨ値が未定のため、薬剤の注入量を適正な量に制御することが困難であった。
このような問題は、廃油処理場に限らず、廃棄物処理施設、各種工場等々の施設において発生する。
【特許文献１】実用新案登録第２１３９９５９号
【発明の開示】
【発明が解決しようとする課題】
【０００３】
地下水は、周辺の環境条件によってｐＨ値が大きく変化する。そのため、大量の降雨時に地下水が側溝内に浸入して、廃棄物処理施設、工場等の各種施設内で発生する排水のｐＨ値を変化させてしまうことがある。従って、施設内からの排水のｐＨ値を規定して管理したとしても施設外に排水される処理水のｐＨ値が基準値内に止まる保証はない。
また、特許文献１の従来技術は、正確なｐＨ値を測定しないため、規定外の薬剤を注入してしまうといった問題がある。
本発明は、かかる課題に鑑みてなされたものであり、簡単な構成でｐＨ値を一定に保持することができ、且つ環境破壊を抑制することができる排水処理システムを提供することを目的とする。
【課題を解決するための手段】
【０００４】
本発明はかかる課題を解決するために、請求項１は、地下水を有した地盤上に設置されたコンクリート基盤と、該コンクリート基盤の外周であって前記地盤と近接した位置に沿って形成されてコンクリート基盤からの排水を受ける側溝と、該側溝から排出された排水を受け入れて油水分離して前記地盤に排出する油水分離装置と、を備えた排水処理システムであって、前記側溝からの排水を導入して内部を通過させてから前記地盤に排出する貯留槽と、該貯留槽内に配置されて前記側溝からの排水を通過させる際に排水中のｐＨ値を低下させるピートモス層と、を備えたことを特徴とする。
ピートモス層は、ピートモスに含まれるフミン酸の性質（アルカリに溶解するが、水には溶けにくい性質）を利用して、側溝からの排水をピートモス層に通過させることにより、排水中に含まれるカルシウムの量に応じてフミン酸が溶け出して排水を中和する。これにより、自動的にフミン酸の量が調整されるため、複雑な調整手段なく排水を中和することができる。
請求項２は、前記貯留槽は、上流から下流に向けて配列され仕切板により仕切られた複数の貯留室を有し、少なくとも最上流の貯留室内に前記ピートモス層を配置し、上流側貯留室内の下部と、隣接する下流側貯留室内の上部に夫々端部開口を臨ませた連通配管と、を備えていることを特徴とする。
最上流の貯留室にあるピートモス層の上部から側溝内の排水が注入される。そして、ピートモス層により中和されてピートモス層の下部に落下して貯留する。従って、ピートモス層を境にして、上部と下部では水質が異なる。そこで本発明では、下部と、隣接する下流側貯留室内の上部に夫々端部開口を臨ませた連通配管を備え、下部に貯留した処理済の排水を下流側貯留室に流す。これにより、処理前の排水と処理後の排水を分離することができる。
【０００５】
請求項３は、前記ピートモス層は、メッシュ状、或いは多数の孔を有したケース体内に収容されていることを特徴とする。
ピートモス層はミズゴケ、アシ、ヨシ、スゲ、ヌマガヤ、ヤナギなどの植物が堆積し、腐植化した泥炭を脱水、粉砕、選別したものである。その中を排水が通過することにより排水を中和することができる。そこで本発明では、メッシュ状、或いは多数の孔を有したケース体内にピートモス層を収容する。これにより、ピートモス層の取扱性を高めつつ、排水を容易に通過させながら排水を中和することができる。
請求項４は、前記ピートモス層は、メッシュ状の袋に分散して収納され、複数の前記メッシュ状の袋を前記ケース体内に収容したことを特徴とする。
ピートモス層は１〜２年で新しいものに交換する必要がある。そのとき、交換の作業を効率よく行なうためには、ピートモス層を分割しておくと作業がしやすくなる。そこで本発明では、ピートモス層をメッシュ状の袋に分散して収納する。これにより、ピートモス層の交換に要する時間を短縮することができる。
【０００６】
請求項５は、前記地盤の地下水は、ｐＨ値が７を超えることを特徴とする。
ピートモス層は水をかけるとフミン酸を長時間溶出し、溶出水はｐＨ４〜６の弱酸性を示す。従って、アルカリ性の地下水にこの溶出水をまぜることにより、地下水を中和することができる。これにより、アルカリ性の地下水を容易に、長時間中和することができる。
請求項６は、前記下流側貯留室内の処理済水を前記最上流の貯留室内に循環させる循環ポンプと、前記下流側貯留室内の処理済水を排出する排出ポンプと、を備え、前記循環ポンプを常時駆動する構成としたことを特徴とする。
処理済水は排出ポンプにより外部に排出される。また、下流側貯留室内の処理済水は一応中和処理されているが、確実性を期するために再度、最上流の貯留室内に循環させてピートモス層を通過させる。これにより、処理済水の中和処理を確実に行うことができる。
【０００７】
請求項７は、前記下流側貯留室内のｐＨ値を測定するｐＨ計と、該ｐＨ計により測定したｐＨ値に基づいて前記循環ポンプ及び排出ポンプを駆動制御するポンプ制御装置と、を更に備え、前記ポンプ制御装置は、前記ｐＨ計により測定したｐＨ値が基準値の範囲内にある場合は、前記循環ポンプを停止して前記排出ポンプを駆動し、前記ｐＨ値が基準値の範囲外にある場合は、前記循環ポンプを駆動して前記排出ポンプを停止することを特徴とする。
下流側貯留室に貯留した処理済水は、基準のｐＨ値の範囲内であれば排出しても構わない。また、基準のｐＨ値の範囲外であれば、ｐＨ値を下げるために循環ポンプを駆動して再度処理済水をピートモス層に通過させる必要がある。これらの一連の動作を自動的に行なうためには、下流側貯留室内のｐＨ値を測定するｐＨ計と、各ポンプを制御する手段が必要である。そこで本発明では、ｐＨ計により測定したｐＨ値が基準値の範囲内にある場合は、循環ポンプを停止して排出ポンプを駆動して処理済水を外部に排出し、ｐＨ値が基準値の範囲外にある場合は、循環ポンプを駆動して排出ポンプを停止してｐＨ値が基準値内になるようにする。これにより、ｐＨ値の制御と排出の制御を自動的に行なうことができる。
請求項８は、前記下流側貯留室内に前記処理済水の水位を検出する水位計を備え、前記ポンプ制御装置は、前記水位計により水位が所定の値以下になったことを検出した場合は、前記排出ポンプを停止することを特徴とする。
排出ポンプは下流側貯留室内に処理済水が所定量貯留している場合に駆動する。しかし、下流側貯留室内の処理済水が少ない場合もある。そのようなときに排出ポンプを駆動すると、ポンプを損傷するばかりでなく、無駄な電力を消費することになる。そこで本発明では、処理済水の水位を検出する水位計を備え、水位が所定の値以下になったことを検出した場合は、排出ポンプを停止する。これにより、排出ポンプの損傷と無駄な電力の消費を防止することができる。
【発明の効果】
【０００８】
本発明によれば、側溝からの排水を導入して内部を通過させてから地盤に排出する貯留槽と、貯留槽内に配置されて側溝からの排水を通過させる際に排水中のｐＨ値を低下させるピートモス層と、を備え、ピートモスに含まれるフミン酸の性質を利用して、側溝からの排水をピートモス層を通過させることにより、排水中に含まれるカルシウムの量に応じてフミン酸が溶け出して排水を中和するので、自動的にフミン酸の量が調整されて、複雑な調整手段を設けることなく排水を中和することができる。
また、下部と、隣接する下流側貯留室内の上部に夫々端部開口を臨ませた連通配管を備え、下部に貯留した処理済の排水を下流側貯留室に流すので、処理前の排水と処理後の排水を分離することができる。
また、メッシュ状、或いは多数の孔を有したケース体内にピートモス層を収容するので、排水を容易に通過させながら排水を中和することができる。
また、ピートモス層をメッシュ状の袋に分散して収納するので、ピートモス層の交換に要する時間を短縮することができる。
【０００９】
また、確実性を期するために再度、最上流の貯留室内に循環させてピートモス層を通過させるので、処理済水の中和処理を確実に行うことができる。
また、ｐＨ計により測定したｐＨ値が基準値の範囲内にある場合は、循環ポンプを停止して排出ポンプを駆動して処理済水を外部に排出し、ｐＨ値が基準値の範囲外にある場合は、循環ポンプを駆動して排出ポンプを停止してｐＨ値が基準値内になるようにするので、ｐＨ値の制御と排出の制御を自動的に行なうことができる。
また、処理済水の水位を検出する水位計を備え、水位が所定の値以下になったことを検出した場合は、無条件に排出ポンプを停止するので、排出ポンプの損傷と無駄な電力の消費を防止することができる。
【発明を実施するための最良の形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の第１の実施形態に係る排水処理システムの構成を示す図である。この排水処理システム１００は、側溝２からの排水３を導入して内部を通過させてから地盤に排出する貯留槽１と、上流から下流に向けて配列され仕切板９、１２により仕切られた複数の貯留室Ａ、Ｂ、Ｃを有し、最上流の貯留室Ａ内に配置されて側溝２からの排水３を通過させる際に排水中のｐＨ値を低下させるピートモス層５を配置し、上流側貯留室Ａ内の下部７と、隣接する下流側貯留室Ｂ内の上部に夫々端部開口を臨ませた連通配管８と、下流側貯留室Ｂ内の下部と、隣接する下流側貯留室Ｃ内の上部に夫々端部開口を臨ませた連通配管１１と、下流側貯留室Ｃ内の処理済水１３を最上流の貯留室Ａ内に循環させる循環ポンプ１５と、下流側貯留室Ｃ内の処理済水１３を排出する排出ポンプ１６と、を備えて構成される。尚、ピートモス層５はメッシュ状、或いは多数の孔を有したケース体４内に収容されている。そのケース体４は支持躯体１９により貯留槽１の底部から所定の距離底上げされている。また、図１では貯留室が３つの場合について説明したが、これより多くても構わない。
【００１１】
次に本発明の排水処理システムの概略動作について説明する。側溝２から排出される排水３は、例えば、工場内で発生する排水や雨水により構成される。特に、排水には油成分が含まれ、雨水には酸性雨等の成分や地下から沁み出すｐＨ値の高い地下水が含まれる。それらの排水３は貯留室Ａに流入される。貯留室ＡにはｐＨ値を中和するピートモス層５が設けられているので、排水内に含まれる酸性水が中和される。また、油成分もピートモス層５により水と分離される。ここでピートモスとは、ミズゴケ、アシ、ヨシ、スゲ、ヌマガヤ、ヤナギなどの植物が堆積し、腐植化した泥炭を脱水、粉砕、選別したものである。そしてピートモスは水をかけるとフミン酸を長時間（１〜２年）溶出し、溶出水はｐＨ４〜６程度の弱酸性を示す。本発明のピートモス層５は、ピートモスに含まれるフミン酸の性質（アルカリに溶解するが、水には溶けにくい性質）を利用して、側溝２からの排水３をピートモス層５を通過させることにより、排水３中に含まれるカルシウムの量に応じてフミン酸が溶け出して排水を中和する。
【００１２】
排水３はピートモス層５の上部に貯留して、ケース体４に設けられた孔からピートモス層５を通過して下部７に貯留する。そして上流側貯留室Ａ内の下部７と、隣接する下流側貯留室Ｂ内の上部に夫々端部開口を臨ませた連通配管８から中和された処理済水が隣接する貯留室Ｂに移る。従って、貯留室Ａの水位が連通配管８を超えるまでは貯留室Ｂには流れ込まない。即ち、貯留室Ｂの処理済水１０も貯留室Ｂの水位が連通配管１１を超えるまでは貯留室Ｃには流れ込まない。また、本実施形態では、下流側貯留室Ｃ内の処理済水１３を最上流の貯留室Ａ内に循環させる循環ポンプ１５と、下流側貯留室Ｃ内の処理済水１３を排出する排出ポンプ１６と、を備えている。このとき、処理済水１３は適宜排出ポンプ１６により外部に排出される。また、下流側貯留室Ｃ内の処理済水は一応中和処理されているが、確実性を期するために再度、最上流の貯留室Ａ内に循環させてピートモス層５を通過させる。これにより、処理済水１３の中和処理を確実に行うことができる。
【００１３】
図２（ａ）はケース体の一部を示す斜視図である。ケース体４は、ステンレス或いはアルミ等の腐食しにくい材質により構成され、枠体４ｂによりメッシュ状、或いは多数の孔４ａを有した本体を矩形状に一体化している。これを１つの単位として複数枚のケース体４を支持躯体１９に配置して下側のケース体４Ａを構成する。このケース体４Ａに図２（ｂ）で示すピートモス層５を敷き詰める。ピートモス５ｂは前述したように、植物の堆積したものであるので、内容物が外に漏れないように、且つ水分は通過するような網状の袋５ｃ内に収容する。そして、袋の口を紐５ａで閉止して１つの袋とする。このようにピートモス５ｂを分割して収容した袋５ｃを複数個ケース体４Ａに敷き詰める。そして上からケース体４Ａと同じ構成のケース体４Ｂで蓋をする。これにより、ケース体４Ａとケース体４Ｂの間にピートモス層５が形成される。
尚、ピートモス層５は袋５ｃに収容しないで、直接ケース体４Ａとケース体４Ｂの間に挟むように構成しても構わない。
【００１４】
即ち、ピートモス層はミズゴケ、アシ、ヨシ、スゲ、ヌマガヤ、ヤナギなどの植物が堆積し、腐植化した泥炭を脱水、粉砕、選別したものである。その中を排水が通過することにより排水を中和することができる。そこで本実施形態では、メッシュ状、或いは多数の孔を有したケース体４内にピートモス層５を収容する。これにより、排水を容易に通過させながら排水を中和することができる。また、ピートモス層５は１〜２年で新しいものに交換する必要がある。そのとき、交換の作業を効率よく行なうためには、ピートモス層５を分割しておくと作業がしやすくなる。そこで本実施形態では、ピートモス５ｂをメッシュ状の袋５ｃに分散して収納する。これにより、ピートモス層の交換に要する時間を短縮することができる。
【００１５】
図３は本発明の第２の実施形態に係る排水処理システムの構成を示す図である。同じ構成要素には図１と同じ参照番号を付して説明する。この排水処理システム１１０が図１と異なる点は、下流側貯留室Ｃ内のｐＨ値を測定するｐＨ計２２と、ｐＨ計２２により測定したｐＨ値に基づいて循環ポンプ１５及び排出ポンプ１６を駆動制御するポンプ制御装置２０と、下流側貯留室Ｃ内に処理済水１３の水位を検出する水位計２１と、を更に備えた点である。そして、ポンプ制御装置２０は、ｐＨ計２２により測定したｐＨ値が基準値の範囲内にある場合は、循環ポンプ１５を停止して排出ポンプ１６を駆動し、ｐＨ値が基準値の範囲外にある場合は、循環ポンプ１５を駆動して排出ポンプ１６を停止するように制御する。
即ち、下流側貯留室Ｃに貯留した処理済水１３は、基準のｐＨ値の範囲内であれば排出しても構わない。また、基準のｐＨ値の範囲外であれば、ｐＨ値を下げるために循環ポンプ１５を駆動して再度処理済水１３を管１４を介してピートモス層５に通過させる必要がある。これらの一連の動作を自動的に行なうためには、下流側貯留室Ｃ内のｐＨ値を測定するｐＨ計２２と、各ポンプを制御するポンプ制御装置２０が必要である。そこで本実施形態では、ｐＨ計２２により測定したｐＨ値が基準値の範囲内にある場合は、循環ポンプ１５を停止して排出ポンプ１６を駆動して処理済水１３を管１７を介して外部に排出し、ｐＨ値が基準値の範囲外にある場合は、循環ポンプ１５を駆動して排出ポンプ１６を停止してｐＨ値が基準値内になるようにする。これにより、ｐＨ値の制御と排出の制御を自動的に行なうことができる。
【００１６】
また、排出ポンプ１６は下流側貯留室Ｃ内に処理済水１３が所定量貯留している場合に駆動する。しかし、下流側貯留室Ｃ内の処理済水１３が少ない場合（水位が排出ポンプ１６より低い場合）もある。そのようなときに排出ポンプ１６を駆動すると、排出ポンプ１６を損傷するばかりでなく、無駄な電力を消費することになる。そこで本実施形態では、処理済水１３の水位を検出する水位計２１を備え、水位が所定の値以下（水位が排出ポンプ１６より低い場合）になったことを検出した場合は、無条件に排出ポンプ１６を停止する。これにより、排出ポンプ１６の損傷と無駄な電力の消費を防止することができる。
【００１７】
図４は図３の排水処理システムのポンプ制御装置に係る動作を説明するフローチャートである。ポンプ制御装置２０にはｐＨ計２２と水位計２１から検出された信号が入力され、循環ポンプ１５と排出ポンプ１６を駆動する駆動部が備えられている。まず、ポンプ制御装置２０はｐＨ計２２の信号を読み取り（Ｓ１）、ｐＨ値が例えば８〜６の範囲内であるか否かをチエックする（Ｓ２）。ｐＨ値がこの範囲内であれば（Ｓ２でＹＥＳ）、循環ポンプ１５を停止する（Ｓ３）、そして、水位計２１の値をチエックして水位が所定の値以下であるか否かをチエックする（Ｓ４）。即ち、水位計２１を予め、排出ポンプ１６より上の水位の位置にセットしておき、水位計２１が水を検出しなくなった場合は、水位が排出ポンプより下であると見做す。ステップＳ４で水位が所定値以下でない場合は（Ｓ４でＮＯ）、排水ポンプ１６を駆動する信号を出力する（Ｓ５）。ステップＳ４で水位が所定の値以下である場合は（Ｓ４でＹＥＳ）、排出ポンプ１６を停止する信号を出力する（Ｓ６）。一方、ステップＳ２でｐＨ値が範囲外である場合は（Ｓ２でＮＯ）、排出ポンプ１６を停止して（Ｓ７）、循環ポンプ１５を駆動する信号を出力する（Ｓ８）。
【００１８】
図５は本発明の排水処理システムで処理された処理済水の約３日間のｐＨ値の変化を示す図である。縦軸にｐＨ値、横軸に日を示す。この図から解るとおり、２日目まではｐＨ値が７を中心に上下に振れているが、基準値を充分満足しているのが解る。しかし、Ｐ点で雨が降り、その直後にｐＨ値が７．８まで上昇している。そこで排出ポンプを駆動して処理済水を排出した結果、一時的にｐＨ値がＱ点まで低下した。その後、雨が降り続いて最高のｐＨ値が９．２（Ｓ点）まで上昇し、排出を続けた結果、ｐＨ値が７．７（Ｔ点）まで低下している。この結果から、雨が降ることにより、地下水に含まれるアルカリ成分が排水内に溶け出してｐＨ値を上昇していると考えられる。従って、雨が降った場合には、頻繁に排水と循環を行なう必要があることが解る。
【００１９】
以上説明したように、本発明によれば、側溝２からの排水３を導入して内部を通過させてから地盤に排出する貯留槽１と、貯留槽１内に配置されて側溝２からの排水を通過させる際に排水中のｐＨ値を低下させるピートモス層５と、を備え、ピートモスに含まれるフミン酸の性質を利用して、側溝２からの排水３をピートモス層５を通過させることにより、排水３中に含まれるカルシウムの量に応じてフミン酸が溶け出して排水３を中和するので、自動的にフミン酸の量が調整されて、複雑な調整手段を設けることなく排水３を中和することができる。
【００２０】
また、下部と、隣接する下流側貯留室Ｂ内の上部に夫々端部開口を臨ませた連通配管８を備え、下部に貯留した処理済の排水７を下流側貯留室Ｂに流すので、処理前の排水６と処理後の排水７を分離することができる。
また、メッシュ状、或いは多数の孔を有したケース体４内にピートモス層５を収容するので、排水を容易に通過させながら排水を中和することができる。
また、ピートモス層５をメッシュ状の袋５ｃに分散して収納するので、ピートモス層５の交換に要する時間を短縮することができる。
また、確実性を期するために再度、最上流の貯留室Ａ内に循環させてピートモス層５を通過させるので、処理済水の中和処理を確実に行うことができる。
また、ｐＨ計２２により測定したｐＨ値が基準値の範囲内にある場合は、循環ポンプ１５を停止して排出ポンプ１６を駆動して処理済水１３を外部に排出し、ｐＨ値が基準値の範囲外にある場合は、循環ポンプ１５を駆動して排出ポンプ１６を停止してｐＨ値が基準値内になるようにするので、ｐＨ値の制御と排出の制御を自動的に行なうことができる。
また、処理済水の水位を検出する水位計２１を備え、水位が所定の値以下になったことを検出した場合は、排出ポンプ１６を停止するので、排出ポンプ１６の損傷と無駄な電力の消費を防止することができる。
【図面の簡単な説明】
【００２１】
【図１】本発明の第１の実施形態に係る排水処理システムの構成を示す図である。
【図２】（ａ）はケース体の一部を示す斜視図、（ｂ）はピートモスを袋詰めにした図である。
【図３】本発明の第２の実施形態に係る排水処理システムの構成を示す図である。
【図４】図３の排水処理システムのポンプ制御装置に係る動作を説明するフローチャートである。
【図５】本発明の排水処理システムで処理された処理済水の約３日間のｐＨ値の変化を示す図である。
【符号の説明】
【００２２】
１  貯留槽、２  側溝、３  排水、４  ケース体、５  ピートモス層、７  上流側貯留室Ａ内の下部、８、１１  連通配管、９、１２  仕切板、１３  下流側貯留室Ｃ内の処理済水、１５  循環ポンプ、１６  排出ポンプ、Ａ、Ｂ、Ｃ  貯留室、１００  排水処理システム
【図１】
2010119910.tif 000003
【図２】
2010119910.tif 000004
【図３】
2010119910.tif 000005
【図４】
2010119910.tif 000006
【図５】
2010119910.tif 000007